(57)【特許請求の範囲】
【請求項１】
（１）土壌中に存在する油分を溶媒を用いて抽出し、（２）抽出溶媒中に存在する土壌を分離した後、（３）赤外分光光度計を用いて波数２８００〜３０５０ｃｍ−１の範囲で抽出溶媒の赤外吸収スペクトルを測定し、得られた赤外吸収スペクトルから土壌中の油分濃度を求める方法であって、あらかじめ測定しようとする油を用い縦軸に抽出溶媒中の油分濃度を横軸に前記波数２８００〜３０５０ｃｍ−１の範囲の赤外吸収スペクトルが占める面積値を求めて作った検量線に基づき、前記測定により得られた赤外吸収スペクトルの面積値から、その対応した濃度を読み取ることを特徴とする土壌中の油分を定量する方法。
【発明の詳細な説明】
【０００１】
【発明の属する技術分野】
本発明は、土壌中に存在する油分を定量する方法に関する。
【０００２】
【従来の技術】
日本において排水中の油分濃度を定量する分析方法は、ＪＩＳ  Ｋ０１０２等に公定法として存在するが、土壌中の油分の簡易的な定量方法に関する規定は存在していない。
【０００３】
従来、一般的に土壌中の油分の定量方法はノルマルヘキサン抽出による方法が用いられてきた。土壌または汚泥に硫酸マグネシウムを混合・粉砕し、円筒ろ紙に入れ、ノルマルヘキサンを用いてソックスレー抽出法により抽出し、溶媒除去後の抽出物の重量から油分濃度を求める方法である。しかしこの方法は抽出に４時間以上を要し、また試料量が少ないこと、抽出液のヘキサンを加熱乾燥させ重量測定により結果を得るため、汚染油種によって繰返し誤差は大きい。また、ノルマンヘキサンを８０℃で加熱乾燥させる際に沸点１４０℃程度未満の軽質の油分は同時に揮発してしまい正確な油分量が得られない。したがってこの方法は正確かつ迅速な定量方法ではない。
【０００４】
一方、産業廃棄物に含まれる油分の検定方法として、試料に純水を加え、振とう抽出後、抽出液のみを分離し塩酸酸性にした後、四塩化炭素を一定量加え、振とう抽出し、四塩化炭素層を分離して波長３．５マイルロメートル付近の吸光度を測定して油分濃度を求める方法がある。しかしこの方法は工程が多いため迅速な分析方法ではなく、しかも四塩化炭素はオゾン層破壊物質であるため、環境に悪影響を及ぼすなどの理由で、現在はあまり一般的には用いられていない方法である（廃棄物の処理及び清掃に関する法律施行第６第１項第４号に規定する海洋投入処分を行うことができる産業廃棄物に含まれる油分の検定方法：昭和５１年２月２７日環境庁告示第３号  改正  平７環告８６号）。
【０００５】
【発明が解決しようとする課題】
本発明の目的は、簡便かつ迅速に土壌中の油分を定量する方法を提供する点にある。
【０００６】
【課題を解決するための手段】
本発明の第１は、（１）土壌中に存在する油分を溶媒を用いて抽出し、（２）抽出溶媒中に存在する土壌を分離した後、（３）赤外分光光度計を用いて波数２８００〜３０５０ｃｍ−１の範囲で抽出溶媒の赤外吸収スペクトルを測定し、得られた赤外吸収スペクトルから土壌中の油分濃度を求める方法であって、あらかじめ測定しようとする油を用い縦軸に抽出溶媒中の油分濃度を横軸に前記波数２８００〜３０５０ｃｍ−１の範囲の赤外吸収スペクトルが占める面積値を求めて作った検量線に基づき、前記測定により得られた赤外吸収スペクトルの面積値から、その対応した濃度を読み取ることを特徴とする土壌中の油分を定量する方法に関する。
【０００７】
本発明における前記油分としては、液状又は固体状の植物油、石油系炭化水素、石炭系炭化水素、合成油の単独或いはこれらの混合物、さらにはこれらが人為的或いは自然界において酸化分解、重合、生物により分解された物質、中間代謝物で使用する抽出溶媒に溶解する物質などを挙げることができる。
【０００８】
本発明における土壌としては、何の制限もないが、例えば砂質土壌、粘度質土壌、シルト質土壌などを挙げることができる。
【０００９】
本発明で使用される溶剤としては、テトラクロロエチレン、Ｓ３１６（ポリクロロフルオロカーボン）などが使用できる。なお、必要に応じて四塩化炭素も使用可能である。
【００１０】
本発明において、土壌から油分を抽出する手段に特別の制限はないが、例えば振とう抽出法、高温高圧溶媒抽出法あるいは超臨界抽出法などを使用することができる。
【００１１】
本発明において、抽出溶媒中に存在する土壌を分離する手段としては、とくに制限はなく、重力を利用した自然沈降法でもよいが、処理時間を短縮するという観点から言えば遠心分離法を採用することが好ましい。
【００１２】
上記の処理により、土壌を沈殿させたら、抽出溶媒の上澄み液を採取して、赤外分光光度計にかけることができる。
【００１３】
前記の検量線は、基本的には測定しようとしている土壌から油分を抽出し、その油分を段階的に希釈して調整した濃度標準液を用いて作成する。
土壌中の汚染油分量が少なく、油分抽出して検量線を作成することが不可能なとき、汚染油分が分かっている場合は、その油分相当の物質を用いて検量線を作成する。たとえば軽油が汚染油分と分かっているときはＪＩＳ  Ｋ２２４０（特１号、１号、２号、３号、もしくは特３号）を用いて検量線を作成する。ガソリン、灯油、重油、潤滑油に関しても同様にＪＩＳ規格に応じた油分を用いて検量線を作成する。
汚染油分がわからない際は、適当な条件でのガスクロマトグラフィを行い、その分析チャートにより汚染油分を推測し、たとえばその油分が軽油相当であるとするときは、ＪＩＳ  Ｋ２２０４軽油（特１号、１号、２号、３号、もしくは特３号）を用いて検量線を作成する。
【００１４】
実測定は、土壌から適当な溶媒たとえばテトラクロロエチレンを用いて油分を抽出し、赤外分光光度計により波数２８００〜３０５０ｃｍ−１の範囲の吸収スペクトルを測定し、あらかじめ作成しておいた前記検量線を用いて測定しようとする土壌中の油分を算出する。
【００１５】
吸光度測定範囲が波数２８００〜３０５０ｃｍ−１としたのは、Ｃ−Ｈ結合の伸縮振動の吸収帯がこの範囲であるからであり、この範囲での吸光度またはこの範囲で画かれる吸収スペクトルの占める面積値がＣ−Ｈ結合の数つまり炭化水素化合物の濃度すなわち油分濃度に比例するので、この範囲を選定することが重要である。
【００１６】
【実施例】
以下に実施例および比較例を挙げて本発明を説明するが、本発明はこれにより何ら限定されるものではない。
【００１７】
実施例
（１）検量線の作成方法
予め室温乾燥（２５℃、１２時間）しておいた汚染油分の異なる土壌Ａ、Ｂ、Ｃをそれぞれ１０ｇづつ計り採り、そこにテトラクロロエチレン１０ｍｌをそれぞれ加え、密栓し、振とう抽出を１０分、遠心分離を１０分、それぞれ行った。室温で空気を吹き込みながら１２０分放置し、テトラクロロエチレンを完全に揮発させた汚染油分を得た。これを１０ｍｇ計り採り、テトラクロロエチレンにより１０ｍｌに定容して１，０００ｍｇ／Ｌの濃度標準液とした。この１，０００ｍｇ／Ｌの濃度標準液を段階的にテトラクロロエチレンにより希釈して、４００、２００、１００ｍｇ／Ｌの濃度標準液を調製した。これをＩＲ用１０ｍｍセルに入れ、赤外分光光度計を用いて波長２，８００〜３，０５０ｃｍ−１での範囲において測定し、吸収スペクトルの面積を求めた。この結果から各濃度標準液の濃度と得られた各面積値により検量線を作成した。
【００１８】
土壌Ａ、Ｂ、Ｃの検量線を下記に記すとともに図１〜３に示す。
検量線式（検量線Ｙ＝ａＸ式の傾きａが下記式の係数７．０３、５．１０、６．６７である）は以下の通りである。
土壌Ａ：油分Ａの濃度（ｍｇ／Ｌ）＝７．０３×面積値
土壌Ｂ：油分Ｂの濃度（ｍｇ／Ｌ）＝５．１０×面積値
土壌Ｃ：油分Ｃの濃度（ｍｇ／Ｌ）＝６．６７×面積値
【００１９】
（２）実験方法
予め室温乾燥（２５℃、１２時間）しておいた汚染油分の異なる土壌Ａ、Ｂ、Ｃ各２ｇを遠心沈殿管に計り取り、テトラクロロエチレン３０ｍｌを入れて密栓し、振とう抽出を１０分、遠心分離を１０分、それぞれ行った。表層のテトラクロロエチレン抽出液をＩＲ用１０ｍｍセルに入れ、赤外分光光度計を用いて波数２，８００〜３，０５０ｃｍ−１での範囲の領域で測定し、吸収スペクトルの面積から、予め作成しておいた検量線より土壌１ｋｇあたりの油量ｍｇを求めた。
検量線はテトラクロロエチレン１Ｌ中の油分の濃度（ｍｇ／Ｌ）であるため、土壌１ｋｇあたりの油量に換算した結果を下記に記す。
換算：土壌１ｋｇあたりの油量＝検量線油分濃度（ｍｇ／Ｌ）
×３０／１０００×１０００／２
【００２０】
【表１】
0003949487.tif 000002
Ａ：Ｃ重油（ＪＩＳ  Ｋ２２０５  ３種１号相当）による汚染土壌
Ｂ：軽油（ＪＩＳ  Ｋ２２０４相当）による汚染土壌
Ｃ：実汚染土壌
変動係数＝標準偏差／平均値×１００
【００２１】
比較例
予め室温乾燥（２５℃、１２時間）しておいた汚染油分の異なる土壌Ａ、Ｂ、Ｃの各２ｇを計り採り、塩酸を加えてｐＨ２以下とした後、硫酸マグネシウム一水和物を２５ｇ加え、良く撹拌し薄く広げて２０分放置し凝固させた。これを磁製乳鉢に入れて粉砕し円筒ろ紙に入れた。使用したビーカーおよび乳鉢はヘキサンを付けたろ紙でぬぐい、これも円筒ろ紙に入れた。円筒ろ紙にガラスビーズを詰めソックスレー抽出器に収め、ヘキサンを蒸留フラスコの約半分量入れ、毎時２０回の循環速度で４時間抽出した。抽出後、蒸留フラスコを取り外し、８０±５℃の水浴中で加温しながら空気を吹き込んで、液量が２ｍｌになるまでヘキサンを揮散させた。蒸留フラスコの残留液をあらかじめ重量を測っておいた蒸発容器に入れ、蒸留フラスコを少量のヘキサンで３回洗い、この洗液も蒸発容器に入れた。蒸発容器を８０℃に保った加熱板の上に置いてヘキサンを揮散させた。蒸発容器の外側を清浄な布で拭き、８０±５℃の乾燥器中で３０分間加熱乾燥して、デシケーターに移し、３０分間放冷した後質量をはかり、抽出された油分量を求めた。その結果を表２に示す。
【００２２】
【表２】
0003949487.tif 000003
Ａ：Ｃ重油（ＪＩＳ  Ｋ２２０５  ３種１号相当）による汚染土壌
Ｂ：軽油（ＪＩＳ  Ｋ２２０４相当）による汚染土壌
Ｃ：実汚染土壌
【００２３】
【発明の効果】
本発明により、簡便かつ迅速に土壌中の油分を定量する新規な方法を提供できた。
【図面の簡単な説明】
【図１】検量線の作成方法に従って作った土壌Ａの検量線を示す。
【図２】検量線の作成方法に従って作った土壌Ｂの検量線を示す。
【図３】検量線の作成方法に従って作った土壌Ｃの検量線を示す。
【図１】
0003949487.tif 000004
【図２】
0003949487.tif 000005
【図３】
0003949487.tif 000006